(57)【要約】【課題】ゴミ袋等として再利用可能であり、かつ、雨天時に使用するのに適した新聞紙包装袋を提供すること。【解決手段】分解性樹脂成分と分解促進成分と分解抑制成分とからなる分解可能な重合体組成物からなることを特徴とし、また記分解促進成分は前記新聞紙袋内面に設けられ、前記分解抑制成分は前記新聞紙袋外面に設けられてなることを特徴とし、また前記新聞紙包装袋は４つ折新聞紙の短辺より長く長辺より短い底辺部の幅を有し、４つ折新聞紙を挿入後開口部を折り返して雨水の進入を防ぐのに十分な底辺部から開口部までの長さを有することを特徴とする。【選択図】図１
2004099159.tif 000002
【特許請求の範囲】
【請求項１】
分解性樹脂成分と分解促進成分と分解抑制成分とからなる分解可能な重合体組成物からなることを特徴とする新聞紙包装袋。
【請求項２】
前記分解促進成分は前記新聞紙袋内面に設けられ、前記分解抑制成分は前記新聞紙袋外面に設けられてなることを特徴とする請求項１記載の新聞紙包装袋。
【請求項３】
前記新聞紙包装袋は４つ折新聞紙の短辺より長く長辺より短い底辺部の幅を有し、４つ折新聞紙を挿入後開口部を折り返して雨水の進入を防ぐのに十分な底辺部から開口部までの長さを有することを特徴とする請求項１または２のいずれか記載の新聞紙包装袋。
【請求項４】
前記底辺部の幅が、Ａ４サイズの紙の短辺より長くＡ４サイズの紙の長辺より短いことを特徴とする請求項３記載の新聞紙包装袋。
【請求項５】
前記底辺部から開口部までの長さが、４つ折新聞紙の長辺の約１．４〜１．６倍の長さであることを特徴とする請求項３または４のいずれか記載の新聞紙包装袋。
【請求項６】
前記新聞紙包装袋は半透明のフィルムからなり、表面の一部に印刷を施してなることを特徴とする請求項１〜４のいずれか記載の新聞紙包装袋。
【発明の詳細な説明】
【０００１】
【発明の属する技術分野】
本発明は雨天時などの新聞紙を配送するにあたり、雨で新聞紙が濡れないようにするために包装する包装袋であって、特には使用後に再利用が可能であり、かつその後分解して無害の生成物に分解可能な新聞紙包装袋に関する。
【０００２】
【従来の技術】
雨の日に新聞を配達するとき新聞を雨でぬれないようにするため、有効に使用できる新聞を薄いフィルムで密閉封止することが行われている。そして、このような包装装置としては、特開２００１−２２５８０７号公報にあるように、帯状または筒状フィルムに新聞紙を挿入した状態で端部および／または前後端部を融着切断する製造方法により、安価に連続して容易に製造することを可能としている。
【０００３】
しかしならが、このような製造方法においては、新聞紙を完全密閉することが可能となるが、その半面、新聞を見ようとするときはこの袋を破かねばならず、また封止部が融着切断であることから、開封後は袋として再利用できるものではなかった。
【０００４】
また、新聞紙の包装バンドや包装材の材料として特開２００１−８８８６５号公報にあるように、生分解性樹脂をからなるものを用いることが示されている。しかしながら、包装袋全体を生分解性樹脂として使いきりの用途に使用するにはコストが高くつものであり、また雨水に対する耐性も考慮されていない。
【０００５】
【発明が解決しようとする課題】
本発明はこのような問題点を解決するためになされたものであり、その課題とするところは、ゴミ袋等として再利用可能であり、かつ、雨天時に使用するのに適した新聞紙包装袋を提供することにある。
【０００６】
【課題を解決するための手段】
本発明はこの課題を解決するため、すなわち請求項１記載の発明は、分解性樹脂成分と分解促進成分と分解抑制成分とからなる分解可能な重合体組成物からなることを特徴とする新聞紙包装袋である。
【０００７】
本発明はこの手段により、通常の生分解性樹脂単体からなるものより安価に、さらには分解促成成分と分解抑制成分とにより分解速度を調整可能な新聞紙包装袋を提供する事が可能となる。
【０００８】
また請求項２記載の発明は、前記分解促進成分は前記新聞紙袋内面に設けられ、前記分解抑制成分は前記新聞紙袋外面に設けられてなることを特徴とする請求項１記載の新聞紙包装袋である。
【０００９】
本発明はこの手段により、内面に設けられた分解促進成分により生ゴミ等の袋として使用して廃棄した後の分解速度を高め、また外面に設けられた分解抑制成分により雨水等による分解を抑制し、新聞紙を取り出した後の包装袋の再利用まで包装袋を維持することが可能となる。
【００１０】
また請求項３記載の発明は、前記新聞紙包装袋は４つ折新聞紙の短辺より長く長辺より短い底辺部の幅を有し、４つ折新聞紙を挿入後開口部を折り返して雨水の進入を防ぐのに十分な底辺部から開口部までの長さを有することを特徴とする請求項１または２のいずれか記載の新聞紙包装袋である。
である。
【００１１】
本発明はこの手段により、機械作業または手作業いずれにおいても挿入が容易となる４つ折新聞紙を包装するのに適した包装袋を提供することが可能となる。また、配達時には挿入口を折り返すことで雨が浸入して新聞紙が濡れて読めなくなるということが無くなる。また、新聞紙は包装袋を破壊せずに容易に取り出すことが可能であり、ゴミ袋などに再利用が可能となる。
【００１２】
また請求項４記載の発明は、前記底辺部の幅が、Ａ４サイズの紙の短辺より長くＡ４サイズの紙の長辺より短いことを特徴とする請求項３記載の新聞紙包装袋である。
【００１３】
本発明はこの手段により、本発明の新聞紙包装袋に、さらにＡ４サイズのチラシや広告を折らずに挿み込むことが可能となる。
【００１４】
また請求項５記載の発明は、前記底辺部から開口部までの長さが、４つ折新聞紙の長辺の約１．４〜１．６倍の長さであることを特徴とする請求項３または４のいずれか記載の新聞紙包装袋である。
【００１５】
本発明はこの手段により、新聞紙を包装袋に挿入後、十分な折り返しがあるため、綴じ具が無くても新聞紙が雨に濡れること事無く挿入可能となり、綴じ合わせの必要もない。またこれにより他にゴミとなるような分解不能な綴じ具や接着剤を必要としないので容易に製造することが可能となる。また挿入する新聞紙に対して、余分の長さがそれほど無いことから、機械挿入であっても手作業であっても容易に挿入が可能となる。
【００１６】
また請求項６記載の発明は、前記新聞紙包装袋は半透明のフィルムからなり、表面の一部に印刷を施してなることを特徴とする請求項１〜４のいずれか記載の新聞紙包装袋である。
【００１７】
本発明はこの手段により、半透明のフィルムであることで新聞紙が挿入されていることが目に見え、一部に印刷が施してある事で、袋に挿入されていることが明らかに見て取れる。また印刷により分解性の包装袋であること、再利用可能である事等の説明を記載することが可能となる。さらには印刷インキに分解抑制成分等を混入することで、包装袋の分解速度を調整可能となる。
【００１８】
【発明の実施の形態】
以下、本発明を図面に基づき詳細に説明する。
図１に本発明における包装袋の概略を示す。図２に本発明における包装袋に４つ折新聞紙を挿入した状態の概略を示す。１は包装袋、２は融着切断した袋底部、３は開口部、４は４つ折にした新聞紙である。
【００１９】
本発明における４つ折新聞紙とは、通常の中折りして綴じていない状態の新聞紙の束を天−地方向で一回、小口−背方向で一回折り畳んだものであり、大きさとして、短辺が約２１ｃｍ、長辺が約２７ｃｍ、となるものである。このサイズであれば機械挿入、手作業による挿入に適したものとなる。これを入れる包装袋としては、短辺が約２５ｃｍ、長辺約３０ｃｍ＋１５ｃｍ（折り返し部分）であり、この状態であればＡ４サイズのチラシであれば、折り畳まずに挿む事が可能であり、好適に用いられる。
【００２０】
本発明における分解性樹脂成分と分解促進成分と分解抑制成分とからなる分解可能な重合体組成物としては、例えば特許公報２９６１１３８号公報に示されるような、その意図された目的に使用されている間はその構造的完全性を保持し、その目的を達成したときは、適当な環境下で分解機構の作用により比較的短時間に分解可能なものである。
【００２１】
本発明における分解性樹脂成分としては、ポリプロピレン、ポリエチレン等の熱可塑性ポリマーを主体として、分解性樹脂成分を付加したものが挙げられる。例えばエチレン／酢酸ビニル−コポリマー、エチレン／ビニルアルコール−コポリマー、エチレン／アクリル酸−コポリマー、エチレン／アクリル酸メチル−コポリマー、エチレン／メタクリル酸−コポリマー、等が挙げられる。
【００２２】
本発明における分解促進成分としては、ひとつは上記分解性樹脂成分を酸化可能な成分であり、例えば各種不飽和脂肪酸および／または脂肪酸エステルが挙げられ、もうひとつは酸化開始剤であり、上記酸化可能な成分の酸化を開始させることのできるもので、例えば各種遷移金属成分が挙げられる。
【００２３】
本発明における分解抑制成分としては、上記分解性樹脂成分の分解開始を遅延させるものであり、例えばヒンダートフェノールからなる非金属性安定化成分が挙げられる。
【００２４】
本発明における、包装袋の製造方法としては、特開２００１−２２５８０７号公報に記載の方法が一部適用可能であるが、一回の融着切断により袋底部と開口部を同時に製造することが可能である。また内面に分解促進成分を設け、外面に分解抑制成分を設ける方法としては、従来のフィルム製造の成分の積層方法にて適宜可能となる。印刷を施す場合にも、筒状フィルムの状態でロールに巻き取りつつ後に融着切断する間隔にあわせて適宜印刷を施しても良いし、融着切断したものを積み重ねてから１枚づつ印刷してもよい。印刷方法ばグラビア印刷等により可能である。
【００２５】
さらに、本発明の印刷に用いるインキはそれにより分解性を調整する事も可能である。すなわち上記分解抑制成分を含有するインキで印刷することで雨水からの分解を防止可能となる。
【００２６】
以上のようにして包装袋を個別に製造した後、新聞紙を挿入する。また、個別にチラシや広告を挿し入れることも適宜行われる。そして読者は新聞を取り出した後の包装袋をゴミ袋等として再利用が可能となる。特に袋内面に分解抑制成分を設けた場合は生ゴミを入れることで放棄後の分解を早めることが可能である。あるいは土中に埋めてのち一定期間後分解することを望むものであれば、袋の内面と外面をひっくり返して使用することでその分解速度を容易に調整することが可能となる。
【００２７】
【発明の効果】
以上に示したように本発明の請求項１記載の発明により、通常の生分解性樹脂単体からなるものより安価に、さらには分解促成成分と分解抑制成分とにより分解速度を調整可能な新聞紙包装袋を提供する事が可能となるという作用効果を奏する。
【００２８】
また請求項２記載の発明により、内面に設けられた分解促進成分により生ゴミ等の袋として使用して廃棄した後の分解速度を高め、また外面に設けられた分解抑制成分により雨水等による分解を抑制し、新聞紙を取り出した後の包装袋の再利用まで包装袋を維持することが可能となるという作用効果を奏する。
【００２９】
また請求項３記載の発明により、機械作業または手作業いずれにおいても挿入が容易となる４つ折新聞紙を包装するのに適した包装袋を提供することが可能となる。また、配達時には挿入口を折り返すことで雨が浸入して新聞紙が濡れて読めなくなるということが無くなる。また、新聞紙は包装袋を破壊せずに容易に取り出すことが可能であり、ゴミ袋などに再利用が可能となるという作用効果を奏する。
【００３０】
また請求項４記載の発明により、発明の新聞紙包装袋に、さらにＡ４サイズのチラシや広告を折らずに挿み込むことが可能となるという作用効果を奏する。
【００３１】
また請求項５記載の発明により、聞紙を包装袋に挿入後、十分な折り返しがあるため、綴じ具が無くても新聞紙が雨に濡れること事無く挿入可能となり、綴じ合わせの必要もない。またこれにより他にゴミとなるような分解不能な綴じ具や接着剤を必要としないので容易に製造することが可能となる。また挿入する新聞紙に対して、余分の長さがそれほど無いことから、機械挿入であっても手作業であっても容易に挿入が可能となるという作用効果を奏する。
【００３２】
また請求項６記載の発明により、記新聞紙包装袋は半透明のフィルムからなり、表面の一部に印刷を施してなることを特徴とする請求項１〜４のいずれか記載の新聞紙包装袋であるという作用効果を奏する。
【図面の簡単な説明】
【図１】本発明における包装袋の概略を示す説明図である。
【図２】本発明における包装袋に４つ折新聞紙を挿入した状態の概略を示す説明図である。
【符号の説明】
１…包装袋
２…袋底部
３…開口部
４…新聞紙
【図１】
2004099159.tif 000003
【図２】
2004099159.tif 000004